(57)【要約】【課題】ハンドル軸に対してハンドルアームを固定する取り付けネジが、ハンドルアームの長孔に挿通され、ハンドルを逆方向回転させることにより取り付けネジが緩み、その状態で取り付けネジに対してハンドルアームを長孔の範囲で移動させ、ハンドルの正方向回転によって取り付けネジがハンドル軸に締め付けられる魚釣り用リールにおいて、取り付けネジが緩んだ状態において、ハンドルアームが取り付けネジに対してガタツキが抑制された状態を維持することにより、ハンドルアームをハンドル軸に固定するために行うハンドルの正方向回転操作が安定して行える構成を提供する。【解決手段】取り付けネジがハンドル軸に対して緩んだ状態において、ハンドルアームが取り付けネジに対してガタツキが抑制された状態をハンドルアームに設けた板バネによって維持すると共に、この取り付けネジとハンドルアームとの関係維持のための保持部材を設ける。【選択図】図３
2014079192.tif 000002
【特許請求の範囲】
【請求項１】
リール本体に支持されたスプールと、前記スプールに釣り糸を巻き取り操作するためのハンドルを備え、前記ハンドルは、ハンドルノブを回転自在に取り付けたハンドルアームが取り付けネジによって前記ハンドル軸に取り付けられる魚釣り用リールにおいて、
前記ハンドルアームは、前記ハンドル軸への取り付け部にハンドルアームの長さ方向に延びた長孔を有し、
前記取り付けネジは、前記ハンドルアームの外側に位置する頭部と、前記頭部の裏側に形成した非円形の嵌合部と、前記ハンドル軸に形成した雌ネジに螺合する雄ネジを形成して前記嵌合部から延びる軸部とを有し、
前記長孔と前記嵌合部は、前記ハンドルアームが前記嵌合部に対して、回り止め状態で且つ前記ハンドルアームが長さ方向に移動可能に嵌り込む関係であり、
前記取り付けネジは、前記ハンドルアームの釣り糸巻き取り方向回転に伴って前記ハンドル軸の雌ネジに対して締まる回転となり、前記ハンドルアームの釣り糸巻き取り方向とは逆方向回転に伴って前記ハンドル軸の雌ネジに対して緩む回転となり、
前記長孔内において前記取り付けネジの嵌合部を両側から押し圧するための板バネを設け、
前記取り付けネジが締まった状態及び緩んだ状態において、前記板バネが前記長孔内で前記嵌合部を両側から押し圧する状態となるように、前記ハンドルアームと前記取り付けネジとが相互に抜け止め状態を保持する保持部材を設け、
前記取り付けネジが緩んだ状態にて、前記嵌合部に対して前記ハンドルアームが前記長孔の範囲内において移動可能となり、それによって前記ハンドルアームの回転半径が変更可能である
ことを特徴とするハンドル装置。
【請求項２】
リール本体に支持されたスプール軸に回転自在に支持されたスプールと、前記スプールの釣り糸繰り出し方向回転のドラグ力を調整するドラグ機構と、前記ドラグ機構を介して前記スプールを回転駆動する歯車装置と、前記歯車装置を回転駆動するハンドル軸を回転させるためのハンドルを備え、前記ハンドルは、ハンドルノブを回転自在に取り付けたハンドルアームが取り付けネジによって前記ハンドル軸に取り付けられており、前記スプールを釣り糸巻き取り方向回転（正方向回転という）できるが前記スプールをその逆方向に回転できない構成の両軸受けリール型の魚釣り用リールにおいて、
前記ハンドルアームは、前記ハンドル軸への取り付け部にハンドルアームの長さ方向に延びた長孔を有し、
前記取り付けネジは、前記ハンドルアームの外側に位置する頭部と、前記頭部の裏側に形成した非円形の嵌合部と、前記ハンドル軸に形成した雌ネジに螺合する雄ネジを形成して前記嵌合部から延びる軸部とを有し、
前記長孔と前記嵌合部は、前記ハンドルアームが前記嵌合部に対して、回り止め状態で且つ前記ハンドルアームが長さ方向に移動可能に嵌り込む関係であり、
前記取り付けネジは、前記ハンドルアームの釣り糸巻き取り方向回転に伴って前記ハンドル軸の雌ネジに対して締まる回転となり、前記ハンドルアームの釣り糸巻き取り方向とは逆方向回転に伴って前記ハンドル軸の雌ネジに対して緩む回転となり、
前記長孔内において前記取り付けネジの嵌合部を両側から押し圧するための板バネを設け、
前記取り付けネジが締まった状態及び緩んだ状態において、前記板バネが前記長孔内で前記嵌合部を両側から押し圧する状態となるように、前記ハンドルアームと前記取り付けネジとが相互に抜け止め状態を保持する保持部材を設け、
前記取り付けネジが緩んだ状態にて、前記嵌合部に対して前記ハンドルアームが前記長孔の範囲内において移動可能となり、それによって前記ハンドルアームの回転半径が変更可能である
ことを特徴とするハンドル装置。
【請求項３】
前記保持部材は、前記取り付けネジの軸部の雄ネジが螺合する雌ネジを形成した貫通孔を有する板状環状部材または板状非環状部材で構成され、前記ハンドルアームの前記ハンドル軸側面から突出する前記取り付けネジの軸部の部分に前記保持部材が空回り状態に嵌り合うための前記雄ネジが存在しないネジなし軸部が形成されたことを特徴とする請求項１または２に記載のハンドル装置。
【請求項４】
前記板バネは、前記ハンドルアームの外側面に取り付けられる取り付け辺から前記長孔内に侵入して前記対向壁に沿って延びる押し圧辺を備えた一対の板バネで構成され、
前記取り付けネジ、前記保持部材及び前記板バネの関係は、前記取り付けネジが前記ハンドル軸の雌ネジに対して緩んだ状態において、前記嵌合部が前記長孔に侵入し、且つ、前記嵌合部の両側面が前記一対の板バネの押し圧辺によって押し圧状態を保持する状態を維持するように、前記保持部材によって前記取り付けネジが前記ハンドルアームから抜け止め状態に保持されることを特徴とする請求項１乃至３のいずれかに記載のハンドル装置である。
【発明の詳細な説明】
【技術分野】
【０００１】
本発明は、魚釣り用リールに関し、特に、スプールに釣り糸を巻き取り操作するためのハンドルの回転半径を変更できるハンドル装置に関する。
【背景技術】
【０００２】
両軸受けリールは、ブラックバス釣り等のように操作性が要求される釣りや、ジギング釣りやトローリング釣り等の大物釣りに適するように設計され、ジギング釣り等のリールはスプールへの釣り糸巻き取り用ハンドルを支持するハンドル軸がスプール軸と平行に配置され、スプール軸と同軸上にドラグ機構の摩擦係合部及びドラグ機構の調整用レバーを配置したレバードラグ式両軸受けリール（例えば、特許文献１）と、ハンドル軸と同軸上にドラグ機構及びドラグ機構の調整つまみを配置したドラグノブ式両軸受けリール（例えば、特許文献２）またはスタードラグ式両軸受けリール（例えば、特許文献３）
）と称されるものがある。
【０００３】
両軸受けリールにおいて、スプールを回転させるハンドルの回転半径を変更できるようにするために、ハンドル軸に対してハンドルアームを取り付ける取り付けネジを緩めて、ハンドル軸に対するハンドルアームの取り付け位置を二段階に変更できるハンドル装置が特許文献３に示されている。
【０００４】
また、両軸受けリールにおいて、リールを回転させるハンドルの回転半径を多段階に変更できるハンドル装置が特許文献２に示されている。特許文献２のものは、ハンドルアームの釣り糸巻き取り方向とは逆方向の回転によって、ハンドルアームの多数の噛み合い歯がハンドル軸側の可動噛み合い部材から外れ、その状態でハンドルアームを移動させ、所定位置にてハンドルアームの釣り糸巻き取り方向回転によって、新たにハンドルアームの噛み合い歯が可動噛み合い部材に噛み合うことにより、変更されたハンドルの回転半径が得られるものである。
【先行技術文献】
【特許文献】
【０００５】
【特許文献１】特開２００１−１４８９７５号公報
【特許文献２】特開２００４−２２２５５９号公報
【特許文献３】特開２００９−２４７２３９号公報
【発明の概要】
【発明が解決しようとする課題】
【０００６】
特許文献２のものは、ハンドルの回転半径を多段階に変更できることは達成されるが、ハンドルアームの多数の噛み合い歯と、これに噛み合う歯を形成したハンドル軸側の可動噛み合い部材とが必要であり、部品数の増加と共に構成が複雑となる。また、ハンドルの逆方向回転によって取り付けネジ２５が緩んだ状態で、取り付けネジ２５に対してハンドルアームを移動させ易くするために、取り付けネジ２５の平行面２９とハンドルアームの長孔２０との間には、ある程度の隙間が必要である。この隙間によってガタツキが生じることは否めなく、このガタツキによって取り付けネジ２５に対してハンドルアームが傾く。このため、ハンドルアームを移動させた位置でハンドルを正方向回転する際にハンドルアームが傾いている場合は、ハンドルのスムーズな正方向回転操作をし難くなる。
【０００７】
また、特許文献３のものは、ハンドルアームに形成した非円形の二つの孔のいずれか一つにハンドル軸の先端部を選択的に嵌合させる取り付けによって、ハンドルの回転半径を二段階に変更できるものであるため、構造的に複雑であり、且つハンドルの回転半径を変更するための操作が面倒である。
【０００８】
なお、魚釣り用リールには、両軸受けリールの他にスピニングリールも公知であり、スピニングリールにおいても、ハンドルアームの釣り糸巻き取り方向とは逆方向の回転によって、ハンドルアームの取り付けが緩み、その状態でハンドルアームを移動させ、所定位置にてハンドルアームの釣り糸巻き取り方向回転によって、変更されたハンドルの回転半径が得られるものである。
【０００９】
本発明は、ハンドル軸に対してハンドルアームが取り付けネジによって取り付けられており、ハンドルの逆方向回転（釣り糸巻き取り方向とは逆方向の回転）によって、取り付けネジが緩んでハンドル軸に対するハンドルアームの取り付けが緩み、その状態でハンドル軸に対するハンドルアームの取り付け位置が移動可能となり、ハンドルアームを移動して所定の回転半径にした位置で、ハンドルを正方向回転（釣り糸巻き取り方向回転）することによって取り付けネジが締まり、所定の回転半径で回転できるように、ハンドル軸に対するハンドルアームの取り付けが固定されるハンドル装置である。これは、両軸受けリール及びスピニングリールのいずれの魚釣り用リールにおいても適用できるものである。
【００１０】
本発明は、このようなハンドル装置において、取り付けネジとハンドルアームの長孔との間に生じる隙間によって、取り付けネジに対してハンドルアームが傾き、この傾きにより生じるハンドルのスムーズな正方向回転操作を行い難くなることを解決することにより、ハンドルの正方向回転によってこの取り付けネジが安定的に締まるようになる構成を達成し、ハンドルの回転半径の変更操作が安定して容易に行えるようにするものである。
【００１１】
このような目的のために、本発明は、強い力で安定したハンドル回転が求められる両軸受けリールに適用して有効であり、また比較的小さな魚釣りに適するスピニングリールに適用しても有効であるハンドル装置を提供するものである。
【課題を解決するための手段】
【００１２】
第１発明は、リール本体に支持されたスプールと、前記スプールに釣り糸を巻き取り操作するためのハンドルを備え、前記ハンドルは、ハンドルノブを回転自在に取り付けたハンドルアームが取り付けネジによって前記ハンドル軸に取り付けられる魚釣り用リールにおいて、
前記ハンドルアームは、前記ハンドル軸への取り付け部にハンドルアームの長さ方向に延びた長孔を有し、
前記取り付けネジは、前記ハンドルアームの外側に位置する頭部と、前記頭部の裏側に形成した非円形の嵌合部と、前記ハンドル軸に形成した雌ネジに螺合する雄ネジを形成して前記嵌合部から延びる軸部とを有し、
前記長孔と前記嵌合部は、前記ハンドルアームが前記嵌合部に対して、回り止め状態で且つ前記ハンドルアームが長さ方向に移動可能に嵌り込む関係であり、
前記取り付けネジは、前記ハンドルアームの釣り糸巻き取り方向回転に伴って前記ハンドル軸の雌ネジに対して締まる回転となり、前記ハンドルアームの釣り糸巻き取り方向とは逆方向回転に伴って前記ハンドル軸の雌ネジに対して緩む回転となり、
前記長孔内において前記取り付けネジの嵌合部を両側から押し圧するための板バネを設け、
前記取り付けネジが締まった状態及び緩んだ状態において、前記板バネが前記長孔内で前記嵌合部を両側から押し圧する状態となるように、前記ハンドルアームと前記取り付けネジとが相互に抜け止め状態を保持する保持部材を設け、
前記取り付けネジが緩んだ状態にて、前記嵌合部に対して前記ハンドルアームが前記長孔の範囲内において移動可能となり、それによって前記ハンドルアームの回転半径が変更可能である
ことを特徴とするハンドル装置である。
【００１３】
第２発明は、リール本体に支持されたスプール軸に回転自在に支持されたスプールと、前記スプールの釣り糸繰り出し方向回転のドラグ力を調整するドラグ機構と、前記ドラグ機構を介して前記スプールを回転駆動する歯車装置と、前記歯車装置を回転駆動するハンドル軸を回転させるためのハンドルを備え、前記ハンドルは、ハンドルノブを回転自在に取り付けたハンドルアームが取り付けネジによって前記ハンドル軸に取り付けられており、前記スプールを釣り糸巻き取り方向回転（正方向回転という）できるが前記スプールをその逆方向に回転できない構成の両軸受けリール型の魚釣り用リールにおいて、
前記ハンドルアームは、前記ハンドル軸への取り付け部にハンドルアームの長さ方向に延びた長孔を有し、
前記取り付けネジは、前記ハンドルアームの外側に位置する頭部と、前記頭部の裏側に形成した非円形の嵌合部と、前記ハンドル軸に形成した雌ネジに螺合する雄ネジを形成して前記嵌合部から延びる軸部とを有し、
前記長孔と前記嵌合部は、前記ハンドルアームが前記嵌合部に対して、回り止め状態で且つ前記ハンドルアームが長さ方向に移動可能に嵌り込む関係であり、
前記取り付けネジは、前記ハンドルアームの釣り糸巻き取り方向回転に伴って前記ハンドル軸の雌ネジに対して締まる回転となり、前記ハンドルアームの釣り糸巻き取り方向とは逆方向回転に伴って前記ハンドル軸の雌ネジに対して緩む回転となり、
前記長孔内において前記取り付けネジの嵌合部を両側から押し圧するための板バネを設け、
前記取り付けネジが締まった状態及び緩んだ状態において、前記板バネが前記長孔内で前記嵌合部を両側から押し圧する状態となるように、前記ハンドルアームと前記取り付けネジとが相互に抜け止め状態を保持する保持部材を設け、
前記取り付けネジが緩んだ状態にて、前記嵌合部に対して前記ハンドルアームが前記長孔の範囲内において移動可能となり、それによって前記ハンドルアームの回転半径が変更可能である
ことを特徴とするハンドル装置である。
【００１４】
第３発明は、第１発明または第２発明において、前記保持部材は、前記取り付けネジの軸部の雄ネジが螺合する雌ネジを形成した貫通孔を有する板状環状部材または板状非環状部材で構成され、前記ハンドルアームの前記ハンドル軸側面から突出する前記取り付けネジの軸部の部分に前記保持部材が空回り状態に嵌り合うための前記雄ネジが存在しないネジなし軸部が形成されたことを特徴とするハンドル装置である。
【００１５】
第４発明は、第１発明乃至第３発明のいずれかにおいて、前記板バネは、前記ハンドルアームの外側面に取り付けられる取り付け辺から前記長孔内に侵入して前記対向壁に沿って延びる押し圧辺を備えた一対の板バネで構成され、
前記取り付けネジ、前記保持部材及び前記板バネの関係は、前記取り付けネジが前記ハンドル軸の雌ネジに対して緩んだ状態において、前記嵌合部が前記長孔に侵入し、且つ、前記嵌合部の両側面が前記一対の板バネの押し圧辺によって押し圧状態を保持する状態を維持するように、前記保持部材によって前記取り付けネジが前記ハンドルアームから抜け止め状態に保持されることを特徴とするハンドル装置である。
【発明の効果】
【００１６】
第１発明では、実釣中のハンドル操作によって、ハンドルアームが一時的に逆方向回転したことにより取り付けネジが緩んだ場合も、保持部材によって、長孔内において板バネが嵌合部を両側から押し圧する状態を保持するため、取り付けネジとハンドルアームの相互のガタツキが抑えられると共に、取り付けネジに対するハンドルアームの傾きが抑制される。この状態でハンドルの正方向回転へ、即ち、ハンドルアームの正方向回転へ安定して移行することができる。このため、ハンドルの正方向回転による魚の釣り上げ操作中に、誤操作によってハンドルを若干逆方向回転した場合、板バネによって取り付けネジに対するハンドルアームのガタツキが抑えられるため、取り付けネジに対するハンドルアームの傾きが抑制される。このため、ハンドルのスムーズな正方向回転操作を開始できることとなり、ハンドルの正方向回転によってこの取り付けネジが安定的に締まるようになり、それによって取り付けネジが直ちに締まり、ハンドルアームがハンドル軸に速やかに固定されるため、引き続いてハンドルノブの正方向回転による魚の釣り上げ操作を安定して行うことができることとなる。
また、ハンドルの回転半径を変える場合は、ハンドルを逆方向回転させることによってハンドルアームが逆方向回転し、それによって取り付けネジが若干緩んだ状態となるが、保持部材によって、長孔内において板バネが嵌合部を両側から押し圧する状態を保持するため、板バネによって取り付けネジに対するハンドルアームのガタツキが抑えられると共に、取り付けネジに対するハンドルアームの傾きが抑制される。この状態で取り付けネジの嵌合部がハンドルアームの長孔の一旦側または他端側となるようにハンドルアームを移動させ、その所定位置でハンドルノブを正方向回転することによって、取り付けネジが直ちに締まるため、ハンドルの回転半径の可変が安定的に且つ容易に行えることとなる。
また、本発明によって、ハンドル軸に形成した雌ネジと取り付けネジの雄ネジとが螺合する長さを十分にとることができるため、上記のような誤操作によってハンドルを若干逆方向回転した場合や、ハンドルの回転半径を変える場合において、取り付けネジが若干緩んだ状態においても、ハンドル軸に対する取り付けネジの取り付けが安定した状態を維持できることとなり、ハンドルアームが簡単に脱落する虞がない安全性の高いものであると共に、上記のようなハンドルの正方向回転への移行がスムーズに行なえるハンドル装置となる。
【００１７】
第２発明は、強い力で安定したハンドル回転が求められる両軸受けリールに適用して有効であり、第１発明と同様の効果を奏する両軸受けリールのハンドル装置として好ましいものとなる。
【００１８】
第３発明の保持部材は、ワッシャ部材のような板状環状部材で構成されるか、またはＣ形リングやＥ形リングのように環状ではない板状非環状部材で構成される。第３発明は、第１発明及び第２発明と同様の効果を奏すると共に、ハンドルアームを逆方向回転してハンドル軸から取り外すときには、例えばワッシャ部材の保持部材が軸部のネジなし軸部に空回り状態に嵌り合っているため、この保持部材がネジなし軸部に嵌ったままの状態で、ハンドル装置、即ち、ハンドルノブ、ハンドルアーム、取り付けネジ、及び保持部材が一緒に取り外され、その状態を維持できるため、ハンドル装置の取り外し作業及び取り付け作業がし易くなる。また、リールの部品交換、修理、点検などの際に、ハンドル装置のこれらの部材がバラバラになることがないため、取り外したときの部品の維持管理がし易くなる。
【００１９】
第４発明は、第１発明乃至第３発明と同様の効果を奏すると共に、ハンドルアームの取り付け状態が緩んだ状態においても、保持部材によって嵌合部が長孔に侵入した状態を保持するように取り付けネジがハンドルアームから抜け止め状態に保持され、それと共に、嵌合部の両側面が長孔内において一対の板バネの押し圧辺によって押し圧状態に保持されるため、ハンドルアームと取り付けネジの関係が安定した姿勢状態を保つことができる。このため、ハンドルノブを正方向回転することによって、取り付けネジが直ちに締まる状態となり、安定してハンドルノブの正方向回転に移行できる効果を発揮できる。
【図面の簡単な説明】
【００２０】
【図１】本発明の実施形態に係るレバードラグ式リールを釣り竿に取付けた状態の正面斜視図である。
【図２】本発明に係るレバードラグ式リールの内部構造を示す要部断面図である。
【図３】図２におけるハンドルアームの取り付け部分の拡大図である。
【図４】本発明に係るハンドルアームの取り付け部分の分解断面図である。
【図５】本発明に係るハンドルアームの取り付け部分の分解斜視図である。
【図６】本発明に係るハンドルアームと取り付けネジとの関係を示す分解斜視図である。
【図７】本発明に係るハンドルアームと取り付けネジとの関係を一部断面で示す分解説明図である。
【図８】本発明に係るハンドルアームと取り付けネジとを組み立てたハンドルの構成を示す説明図である。
【図９】本発明に係るハンドルアームの平面図である。
【図１０】本発明に係る第１カムの図であり、（イ）は第１カムの側面図、（ロ）は第１カムのカム面の平面図、（ハ）は第１カムのカム面の展開図である。
【図１１】本発明に係る第２カムの図であり、（イ）は第２カムのカム面の平面図、（ロ）は（イ）のＢ−Ｂ断面図である。
【発明を実施するための形態】
【００２１】
本発明のハンドル装置は、リール本体に支持されたスプールと、前記スプールに釣り糸を巻き取り操作するためのハンドルを備え、前記ハンドルは、ハンドルノブを回転自在に取り付けたハンドルアームが取り付けネジによって前記ハンドル軸に取り付けられた魚釣り用リールにおいて、
前記ハンドルアームは、前記ハンドル軸への取り付け部にハンドルアームの長さ方向に延びた長孔を有し、
前記取り付けネジは、前記ハンドルアームの外側に位置する頭部と、前記頭部の裏側に形成した非円形の嵌合部と、前記ハンドル軸に形成した雌ネジに螺合する雄ネジを形成して前記嵌合部から延びる軸部とを有し、
前記長孔と前記嵌合部は、前記ハンドルアームが前記嵌合部に対して、回り止め状態で且つ前記ハンドルアームが長さ方向に移動可能に嵌り込む関係であり、
前記取り付けネジは、前記ハンドルアームの釣り糸巻き取り方向回転に伴って前記ハンドル軸の雌ネジに対して締まる回転となり、前記ハンドルアームの釣り糸巻き取り方向とは逆方向回転に伴って前記ハンドル軸の雌ネジに対して緩む回転となり、
前記長孔内において前記取り付けネジの嵌合部を両側から押し圧するための板バネを設け、
前記取り付けネジが締まった状態及び緩んだ状態において、前記板バネが前記長孔内で前記嵌合部を両側から押し圧する状態となるように、前記ハンドルアームと前記取り付けネジとが相互に抜け止め状態を保持する保持部材を設け、
前記取り付けネジが緩んだ状態にて、前記嵌合部に対して前記ハンドルアームが前記長孔の範囲内において移動可能となり、それによって前記ハンドルアームの回転半径が変更可能であるハンドル装置であり、以下にその実施例を記載する。
【実施例１】
【００２２】
本発明は、両軸受けリール及びスピニングリールのいずれの魚釣り用リールにおいても適用可能なハンドル装置を提供するものである。以下に示す実施例は、両軸受けリール１の一つの形態であるレバードラグ式リール１について記載する。レバードラグ式リール１は、図１に示すように、その下側部に設けた金属製の取付け脚２を釣竿６０の上側部に形成した取付け部６１に装着して取り付けられ、その取り付け状態において、多くの使用状態として採用される右側ハンドル操作の場合について説明する。
【００２３】
本発明に係るレバードラグ式リール１は、図１及び図２に示すように、釣竿６０の軸線６０Ｓの竿先に向かって右側に、釣糸６２をスプール１５に巻き取り操作するハンドル１２及びドラグ機構１３のドラグ力を調整するドラグレバー１４が配置され、操作者のハンドル側の手（通常は右手）でハンドル１２を操作し、レバードラグ式リール１の反ハンドル側となる左側面に沿わせた操作者の反ハンドル側の手（通常は左手ＬＨ）によって、釣竿６０を下方から支えると共に左手ＬＨの親指ＬＨ１によって、ドラグレバー１４を操作可能とする小型のレバードラグ式リール１を構成している。
【００２４】
このレバードラグ式リール１は、ジグと称される錘式のルアーを使用し、釣り竿６０から釣糸６２を略真下へ向けて例えば海中５０ｍ乃至それ以上の深さまで垂らして比較的大きな魚を狙うジギング釣りとして好適なものである。
【００２５】
以下、本発明に係るレバードラグ式リール１の構成について更に詳細に記載する。以下の説明において、レバードラグ式リール１の取付け脚２を釣竿６０の上側部に形成した取付け部６１に装着した状態において、レバードラグ式リール１を後方から釣竿６０の竿先に向かって見た状態で、右側及び左側と呼称して説明することとする。
【００２６】
本発明に係るレバードラグ式リール１は、リール本体１１と、リール本体１１に支持されたスプール軸１６に回転自在に支持されたスプール１５と、スプール１５の釣り糸繰り出し方向回転のドラグ力を調整するドラグ機構１３と、ドラグ機構１３を介してスプール１５を回転駆動する歯車装置ＧＡと、歯車装置ＧＡを回転駆動するハンドル軸１２Ａを回転させるためのハンドル１２と、ドラグ機構１３のドラグ力を調整するドラグレバー１４を備えている。また、ドラグ機構１３は、ドラグ力の強弱調整範囲をプリセットするドラグ調整装置５０を備えている。
【００２７】
金属製のリール本体１１は、円形状のスプール１５の左側面を覆う側面視円形状の左側の第１側板１１Ａと、円形状のスプール１５の右側面を覆う側面視円形状の右側の第２側板１１Ｂが、複数の連結部１１Ｃにて連結された状態で対向配置された構成を主体部とし、これに第１側板１１Ａの外側を覆うように第１側板１１Ａにネジ１１Ｈで固定された側面視円形状の金属製の第１側板カバー１１Ｄと、第２側板１１Ｂの外側を覆うように第２側板１１Ｂにネジ１１Ｇで固定された金属製の第２側板カバー１１Ｅを備えた構成である。ネジ１１Ｈは、操作者の左手ＬＨの手のひらが接触しないように、第１側板カバー１１Ｄの外表面から突出しないように窪みに配置されている。
【００２８】
第１側板カバー１１Ｄの左側面は、操作者の左手ＬＨの手のひらが沿い易いように、周縁部から中央部に向けて左外方へ大きな曲率で突出した曲面１１Ｄ１をなし、略球面状に膨らんだ丸み形状を呈している。第２側板カバー１１Ｅは、円形状のスプール１５の右側面を覆う側面視円形状部分と、金属製のハンドル取り付け部１２Ｔに連結された金属製のメインギア２２を収容する部分とを一体形成した金属製の第２側板内カバー１１Ｅ１と、ハンドル取り付け部１２Ｔを収容する金属製の第２側板外カバー１１Ｅ２とで構成している。第２側板内カバー１１Ｅ１と第２側板外カバー１１Ｅ２は、ハンドル取り付け部１２Ｔがメインギア２２と連結される部分で連通する状態にネジ１１Ｊで結合され、第２側板内カバー１１Ｅ１がネジ１１Ｇで第２側板１１Ｂに固定されている。なお、第２側板内カバー１１Ｅ１内のメインギア２２を覆うために、ギアカバー１１Ｅ３を備えており、ギアカバー１１Ｅ３は、外側端が第２側板内カバー１１Ｅ１に連接し内側端がネジ１１Ｋで第２側板１１Ｂに取り付けられた構成である。
【００２９】
リール本体１１には、スプール軸１６の左右両側部が、第１側板１１Ａの一部である第１側板カバー１１Ｄに設けた軸支持部１１Ｄ２と、第２側板１１Ｂの一部である第２側板カバー１１Ｅに設けた軸支持部１１Ｄ３に支持されており、それによって、リール本体１１に対して金属製のスプール軸１６が、回転不能且つスプール軸１６の軸方向へ移動可能（図２で軸線１６Ｓに沿った左右移動可能）である。実施例では、第２側板カバー１１Ｅの外面部（具体的には第２側板内カバー１１Ｅ１の外面部）に、スプール軸１６と同軸に膨出形成した膨出部１１Ｅ１Ｂが形成されており、膨出部１１Ｅ１Ｂを貫通してスプール軸１６が、その軸方向に移動可能且つ回転不能に延出するように、膨出部１１Ｅ１Ｂに軸支持部１１Ｄ３が形成されている。軸支持部１１Ｄ２の一部には、スプール軸１６から突出した回り止めピン１６Ｐが嵌まり込む溝１１Ｄ２１が形成されており、回り止めピン１６Ｐが溝１１Ｄ２１に嵌まり込んだ状態で、スプール軸１６が回転不能且つ軸方向へ移動可能（図２で左右移動可能）である。
【００３０】
釣り糸６２を巻き取る金属製のスプール１５は、釣り糸６２を巻き取る円筒状の小径の糸巻き胴部１５Ａと、糸巻き胴部１５Ａの左右両側に設けた円形状の大径のフランジ部１５Ｂ、１５Ｃを一体形成している。スプール１５は、左右両側部が軸受け１７Ａ、１７Ｂを介してスプール軸１６対して遊転可能に支持されている。この状態で、図２に示すように、左側のフランジ部１５Ｂは、リール本体１１の第１側板１１Ａの内側に入り込んだ状態で配置され、右側のフランジ部１５Ｃは、リール本体１１の第２側板１１Ｂの内側に入り込んだ状態で配置される。
【００３１】
図２に示すように、軸受け１７Ａは、スプール１５の左側の第１凹部に装着されており、スプール軸１６に取付けたワッシャ１６Ｗと軸受け１７Ａとに付勢力が働く４枚の皿バネからなる第１付勢部材２７によって、図２で右方向となる内方へ付勢され、スプール１５の前記第１凹部に押し圧されている。軸受け１７Ｂは、スプール１５の右側の第２凹部に装着されており、後述の軸受け２５との間のスプール軸１６の周囲に配置したコイルバネからなる第２付勢部材２８によって、スプール軸１６の内方（図２で左方）に付勢されている。この第２付勢部材２８によって、ドラグフリー状態において、第２摩擦板１３Ｂから第１摩擦板１３Ａが離間するように、スプール１５をスプール軸１６の内方（図２で左方）に付勢する。
【００３２】
スプール１５は、リール本体１１に回転自在に取り付けたハンドル１２の回転操作によって、釣り糸６２がスプール１５に巻き取られる。スプール１５は、２号撚り糸（ＰＥラインと称する）の釣糸６２を略６００ｍの長さまで安定に巻回できるように、糸巻き胴部１５Ａ及び左右両側のフランジ部１５Ｂ、１５Ｃが形成されている。
【００３３】
ハンドル１２は、板状の金属製のハンドルアーム１２Ｂと、ハンドルノブとして若干の弾力を有するゴムや合成樹脂などで形成した握り部１２Ｄを備えており、ハンドル取り付け部１２Ｔにてリール本体１１に回転自在に取付けられている。具体的には、ハンドル取り付け部１２Ｔは、第２側板カバー１１Ｅ内（図２では第２側板外カバー１１Ｅ２内）に設けた軸受け１８Ａ、１８Ｂによって、スプール軸１６の軸線１６Ｓに平行な軸線１２ＡＳ上に金属製のハンドル軸１２Ａが回転自在に支持され、第２側板カバー１１Ｅを貫通したハンドル軸１２Ａの外側端部（図２では右側端部）に、取り付けネジ１９によってハンドルアーム１２Ｂの取り付け基部が固定され、ハンドルアーム１２Ｂの先端部に握り部１２Ｄをハンドルノブ支持軸部１２Ｅによって回転自在に支持している。ハンドルノブ支持軸部１２Ｅは、ハンドルアーム１２Ｂに略直角に交差するように、ハンドルアーム１２Ｂの先端部に固定したハンドルノブ軸１２Ｃに、軸受け２０Ａ、２０Ｂを介して握り部１２Ｄと一体の筒部１２Ｄ１が回転自在に支持された構成である。これによって、握り部１２Ｄを操作者の右手によって握持した状態で、スプール１５へ釣り糸６２の巻き取りを行なう場合、ハンドル軸１２Ａを中心として握り部１２Ｄを釣り糸巻き取り方向（図１にＦ方向で示すように、レバードラグ式リール１の右側面視で時計方向）に回転させることに伴って、ハンドルノブ軸１２Ｃを中心として握り部１２Ｄが回転するため、スプール１５へ釣り糸６２の巻き取りを連続して行なうことができる。
【００３４】
ハンドル１２は、スプール１５へ釣り糸６２を巻き取る方向（図１に矢印Ｆで示す正方向回転という）へは回転できるがその逆方向回転（図１に矢印Ｒで示す方向）はできないようにするために、第２側板カバー１１Ｅ内（具体的には第２側板外カバー１１Ｅ２内）において、軸受け１８Ａ、１８Ｂ間にワンウェイクラッチ２１が設けられている。ワンウェイクラッチ２１は周知の構成であり、第２側板カバー１１Ｅ側（具体的には第２側板外カバー１１Ｅ２側）に取り付けたアウターハウジングと、ハンドル軸１２Ａ側に取り付けたインナーハウジングとの間に介在したローラの作用によって、ハンドル軸１２Ａが前記正回転方向のみ許容される周知の仕組みである。このため、ハンドル１２の正方向回転によってハンドル軸１２Ａが正方向回転し、後述のドラグ機構１３を介してスプール１５が釣り糸６２を巻き取る方向へ回転する。一方、釣り糸６２の繰り出しによってスプール１５が繰り出し方向回転（釣り糸６２を巻き取る方向とは逆方向の回転）する場合、その回転時の作用が後述のドラグ機構１３及びメインギア２２等を介してハンドル軸１２Ａへ伝達されるが、ワンウェイクラッチ２１の作用によってハンドル軸１２Ａは回転せず、従ってハンドル１２も逆方向回転（釣り糸６２を巻き取る方向とは逆方向の回転）しないように動作する。
【００３５】
ハンドル１２の正方向回転をスプール１５へ伝達するために、ハンドル軸１２Ａの左端部に固定したメインギア２２に噛み合うように金属製のピニオンギア２３を備えている。軸受け２４は、周知のボールベアリング型式の軸受けであり、その外輪が第２側板カバー１１Ｅ内の凹部に装着され内輪がピニオンギア２３の外側端部の外周に装着されており、それによって、ピニオンギア２３が第２側板カバー１１Ｅ内に回転自在に支持され、ピニオンギア２３はスプール軸１６に対しては回転自在、且つピニオンギア２３に対してスプール軸１６が軸方向移動自在なるように装着されている。この状態で、スプール軸１６の軸方向移動は許容するが、メインギア２２の回転に伴ってピニオンギア２３が回転する関係である。また、ピニオンギア２３の内側端部の外周には、後述のドラグ機構１３の第２摩擦板１３Ｂと一体の取付け板１３Ｂ１の内周部分が嵌合しており、これによってピニオンギア２３と第２摩擦板１３Ｂが一体化されている。
【００３６】
ドラグ機構１３は、回転しないスプール軸１６に回転自在に装着されたスプール１５に釣り糸６２を巻き取る場合、巻き取り操作するハンドル１２の回転をスプール１５に伝達するための回転伝達力の強弱を調整すると共に、スプール１５の釣り糸繰り出し方向回転に制動力を加え、この制動力を調整し、また変更するためのものである。
【００３７】
このためドラグ機構１３は、ドラグ力の強弱を揺動動作（回動動作ともいう）にて調整する金属製のドラグレバー１４と、スプール１５と共に回転するようにスプール１５の一側面であるハンドル側（図示では竿先方向に向かって右側）の円形状のフランジ部１５Ｃの側面に固定した円板状の第１摩擦板１３Ａと、第１摩擦板１３Ａに当接可能に対峙しハンドル１２の回転に伴って回転する円板状の第２摩擦板１３Ｂと、スプール軸１６に対してスプール１５をスプール軸１６の軸方向（ハンドル側、即ち図示では右側）に向けて付勢する４枚の皿バネからなる第１付勢部材２７と、ドラグフリー状態で第２摩擦板１３Ｂから第１摩擦板１３Ａが離間するようにスプール１５をスプール軸１６の軸方向（反ハンドル側となる図示では左側）に付勢するコイルバネからなる第２付勢部材２８と、ドラグレバー１４の揺動動作にてスプール軸１６の軸方向移動を制御するカム機構３０と、ドラグレバー１４の揺動によるドラグ力の強弱調整範囲を予め所定の範囲に設定する（プリセットという）ドラグ調整装置５０とを備えている。これによって、ドラグレバー１４の揺動動作にて第１摩擦板１３Ａと第２摩擦板１３Ｂとの摩擦係合力（ドラグ力）の強弱が調整され、スプール１５の釣り糸繰り出し方向回転に加える制動力が調整される。
【００３８】
なお、第１付勢部材２７の付勢力（バネ力）は、第２付勢部材２８の付勢力（バネ力）よりも大きく設定されている。また、第１付勢部材２７と第２付勢部材２８によって、スプール１５の自由回転時のガタツキを防止している。
【００３９】
第２摩擦板１３Ｂは、スプール軸１６に対して、ピニオンギア２３の回転に伴って回転するが、スプール軸１６が軸方向へ移動しても移動しないように移動不能且つ回転可能である。このため、第２摩擦板１３Ｂは、軸受け２５を介してスプール軸１６に遊転可能に支持され且つスプール軸１６の移動自在に支持される。この軸受け２５は、周知のボールベアリング型式であり、その外輪が第２摩擦板１３Ｂの凹部に装着され、内輪がスプール軸１６に遊嵌されている。これによってスプール軸１６に対して、ピニオンギア２３と共に第２摩擦板１３Ｂが回転自在であり、且つスプール軸１６はその軸方向移動自在である。
【００４０】
第２側板カバー１１Ｅの外面部（具体的には第２側板内カバー１１Ｅ１の外面部）に、スプール軸１６と同軸に膨出形成した膨出部１１Ｅ１Ｂは、スプール軸１６のピニオンギア２３よりもハンドル１２側へ延出する部分を取り囲んで二段階に膨出形成されており、その二段階の二段目１１ＥＢ６を貫通してスプール軸１６がその軸方向に移動可能に延出するように、軸受け部１１Ｄ３で支持されている。
【００４１】
ドラグレバー１４は、第２側板カバー１１Ｅの外面部（具体的には第２側板内カバー１１Ｅ１の外面部）の膨出部１１Ｅ１Ｂに揺動自在（回動自在ともいう）に支持されている。具体的には、ドラグレバー１４の基部に形成した円筒状の支持部１４Ａが、膨出部１１Ｅ１Ｂの一段目の円筒状外面に揺動自在（回動自在ともいう）に組み合わされ、支持部１４Ａの内周の一部に形成した環状の係止部１４Ｂが、膨出部１１Ｅ１Ｂの二段目１１ＥＢ６の外周面に取り付けたＣ形リングまたはＥ形リングの抜け止め部材１４１によって抜け止め保持されている。この状態でドラグレバー１４は、第２側板内カバー１１Ｅ１に対してスプール軸１６を中心として揺動自在（回動自在ともいう）に保持される。なお、ドラグレバー１４の揺動（回動ともいう）範囲は、略１３０度である。
【００４２】
カム機構３０は、ドラグレバー１４側の第１カム３１と、第１カム３１に噛み合うリール本体１１側の第２カム３２とで構成される。第１カム３１は、環状の係止部１４Ｂの外側面に沿って配置され、筒状の膨出部１１Ｅ１Ｂの二段目１１ＥＢ６を取り囲むように円筒状の支持部１４Ａの内側に回り止め状態に取り付けた傾斜カムである。第１カム３１は傾斜カムと称するように、図１０に示すように、ハンドル１２側へ向けて徐々に高く傾斜した円弧状のカム面３１Ａを形成している。製作のし易さ、取り付けのし易さ、ドラグ動作の安定化のために、第１カム３１は図１０に示すように円形状リングをなし、カム面３１Ａは、スプール１５の中心軸線１６Ｓを中心とした半径方向の対称位置に形成された対称カム面３１Ａの構成であり、この対称のカム面３１Ａは、ハンドル１２側から見て反時計回りに傾斜が徐々に強くなる（ハンドル１２側へ近づくように高くなる）形状である。これによって第１カム３１は、スプール軸１６を中心としてドラグレバー１４と共に揺動（回動）する。なお、第１カム３１は、支持部１４Ａの内側に支持部１４Ａと一体形成でもよい。
【００４３】
第２カム３２は、第１カム３１に対向配置したリール本体側カムであり、第１カム３１のカム面３１Ａと相互摺動するカム部３２Ａを備えている。膨出部１１Ｅ１Ｂの二段目１１ＥＢ６の外周面は、六角形のような多角形部を備え、第２カム３２は、図１１に示すように、この多角形部に嵌合する内周面３２Ｂ１と、ドラグレバー１４の支持部１４Ａの先端部分の円形状の内周面に沿う円形状の外周面とを形成した環状のカム体３２Ｂと、カム体３２Ｂのスプール軸１６を中心とした半径方向の１８０度対称位置で外方へ突出するように取付けた棒状の突起カム形態のカム部３２Ａとで構成されている。
【００４４】
カム機構３０として、第１カム３１と第２カム３２のいずれか一方が傾斜カム形態であり、他方が突起カム形態である技術は、例えば、特開平１１−１５５４４２号公報で公知であるため、この基本的な技術のみは新規技術ではないが、安定動作を達成するための構成については、本発明によって新規に得られたものである。
【００４５】
これによって、第２カム３２は、膨出部１１Ｅ１Ｂの多角形部に回転不能状態で且つスプール軸１６の軸方向へ移動可能状態であり、ドラグレバー１４は、スプール軸１６の軸方向へ移動不能状態であって第２カム３２に対して揺動（回動）自在である。
【００４６】
第１カム３１のカム面の具体的な構成を図１０の（イ）〜（ハ）に示す。図１０の（イ）は第１カム３１の側面図、図１０の（ロ）は第１カム３１の平面図、図１０の（ハ）は第１カム３１のカム面３１Ａの展開図である。これらの図において、スプール軸１６の軸線１６Ｓを中心とした半径方向の１８０度対称位置であるＰ及びＱの範囲に、同じ形状でカム面３１Ａが形成されている。Ａの範囲が平坦カム面であり、Ｂの範囲がきつい傾斜の第１傾斜カム面であり、Ｃの範囲が緩い傾斜の第２傾斜カム面であり、Ｄの範囲が更に緩い傾斜の第３傾斜カム面である。第２カム３２のカム部は、図１１の（イ）（ロ）に示すように、第２カム３２の１８０度対称位置に設けた突起カム形態のカム部３２Ａが、図１０の（ロ）に示すＰ及びＱの範囲でカム面３１Ａと相互摺動する。
【００４７】
ドラグレバー１４を手動操作することによって、ドラグ機構１３の摩擦係合力（ドラグ力）の強弱を調整するが、その場合のドラグ力の強弱調整範囲の初期設定は、ドラグ調整装置５０によって行なわれる。ドラグ調整装置５０は、ドラグレバー１４を揺動自在（回動自在ともいう）に支持する膨出部１１Ｅ１Ｂの先端の多角形部である二段目１１ＥＢ６よりも、ハンドル１２側へ延出するスプール軸１６の先端部分に形成した雄ネジと、この雄ネジに螺合する雌ネジを内側に形成した有底円筒状をなし第２カム３２に相対回転可能に当接したドラグ調整部材５１を備えている。
【００４８】
ハンドル１２側から見て、ドラグ調整部材５１を時計回りに回動させることにより第２付勢部材２８が圧縮されつつ、ドラグ調整部材５１の雌ネジとスプール軸１６の雄ネジの螺合長さが長くなり、スプール軸１６がスプール１５を伴ってハンドル１２側（図２で右側）へ僅かに移動し、ドラグ力が僅かに強くなるドラグ力強設定状態となる。また、ハンドル１２側から見て、ドラグ調整部材５１を反時計回りに回動させることにより第２付勢部材２８の圧縮が弱まり、ドラグ調整部材５１の雌ネジとスプール軸１６の雄ネジの螺合長さが短くなり、スプール軸１６がスプール１５を伴ってハンドル１２側から離れる方向（図２で左側）へ僅かに移動し、ドラグ力が僅かに弱くなるドラグ力弱設定状態となる。このようにドラグ調整装置５０によって、ドラグ力の強弱調整範囲の初期設定がなされる。
【００４９】
ドラグ調整装置５０にて一つの調整範囲に設定した場合、図２のスプール軸１６の軸線１６Ｓより上半分は、第１摩擦板１３Ａと第２摩擦板１３Ｂの当接力が強い状態、即ちドラグ機構１３による強ドラグ状態を示すものであり、図２のスプール軸１６の軸線１６Ｓより下半分が、第１摩擦板１３Ａと第２摩擦板１３Ｂが離間した状態、即ちドラグ機構１３によるドラグ力がゼロ状態のフリー状態を示すものである。
【００５０】
第１摩擦板１３Ａと第２摩擦板１３Ｂとの当接力の強弱が調整されることにより、ドラグ力が調整されるため、この動作を安定させるために、第１摩擦板１３Ａは耐熱性と耐磨耗性を備えたコルク、合成樹脂等で構成された僅かに弾性を備えたドーナツ状ディスクである。また、第２摩擦板１３Ｂはステンレス等の金属製の円盤状である。
【００５１】
ドラグレバー１４の揺動によってドラグ力を調整する場合について説明する。ドラグレバー１４をドラグフリーの状態とするためには、ドラグレバー１４を図１のＲ方向（手前側、反時計回り）いっぱいまで（スタート位置まで）揺動（回動）する。これによって、第２カム３２の１８０度対称位置に設けたそれぞれのカム部３２Ａが、第１カム３１のカム面３１Ａの１８０度対称位置に設けたそれぞれのＡの範囲（ドラグレバー１４の揺動（回動）角度が１０度の範囲）に位置し、第２付勢部材２８の付勢によってスプール軸１６がスプール１５を伴って図２の左方向へ移動するため、それによって第１摩擦板１３Ａが図２の左方向へ移動し、第１摩擦板１３Ａが第２摩擦板１３Ｂから離れた状態となる。これは、釣糸６２を竿先方向へ引っ張る作用に対してドラグ力は掛からないゼロの状態である。即ち、スプール１５の釣り糸繰り出し方向回転に対して、ドラグ機構１３によるドラグ力が掛からない状態となり、スプール１５が自由回転状態となるため、キャスティングを行なえる状態となる。
【００５２】
このＡの状態からドラグレバー１４を図１のＦ方向（前方、時計回り）へ揺動（回動）することにより生じる相対運動によって、第２カム３２の１８０度対称位置に設けたそれぞれのカム部３２Ａが、第１カム３１のカム面３１Ａの平坦なＡの範囲からカム面３１Ａの傾斜したＢの範囲へ移行し、１８０度対称位置に設けたそれぞれのＢの範囲（ドラグレバー１４の揺動（回動）角度が２０度の範囲）の傾斜したカム面を第２カム３２のカム部３２Ａが登ることにより、第２カム３２が図２の右方向へ移動し、それに伴ってドラグ調整部材５１が図２の右方向へ移動するため、ドラグ調整部材５１によってスプール軸１６が第２付勢部材２８の付勢に抗してハンドル１２側（図２で右側）へ引き寄せられて移動し、それに伴ってスプール１５も第１付勢部材２７を介して同じ方向へ移動する。このため、それぞれのカム部３２Ａがカム面３１ＡのＢの範囲の略中間位置から第１摩擦板１３Ａが第２摩擦板１３Ｂに当接し、ドラグ力が掛かり始める状態（ドラグ作用が開始する状態）となり、且つ、ハンドル１２の回転によってスプール１５が釣り糸６２を巻き取り方向へ回転可能となる。
【００５３】
この第１摩擦板１３Ａと第２摩擦板１３Ｂの当接が始まった状態から更にドラグレバー１４を図１のＦ方向（前方、時計回り）へ揺動（回動）することにより、第２カム３２の１８０度対称位置に設けたそれぞれのカム部３２Ａが第１カム３１のカム面３１Ａの傾斜したＣの範囲へ移行し、１８０度対称位置に設けたそれぞれのＣの範囲（ドラグレバー１４の揺動（回動）角度が７０度の範囲）の傾斜したカム面を第２カム３２のカム部３２Ａが登ることにより、第２カム３２が図２の右方向へ移動し、それに伴ってドラグ調整部材５１が図２の右方向へ移動するため、上記同様にドラグ調整部材５１によってスプール軸１６及びスプール１５がハンドル１２側（図２で右側）へ引き寄せられて移動し、第１摩擦板１３Ａが第２摩擦板１３Ｂに当接する当接力が徐々に強くなる。即ち、ドラグ力が徐々に強くなる。
【００５４】
Ｂの範囲のカム面の傾斜をＣの範囲のカム面の傾斜よりも強くしているのは、Ａの範囲のドラグフリーの状態から速やかにドラグ作用開始状態へ移行できるようにするためであり、Ｂの範囲のカム面の傾斜の中間位置からドラグ作用が開始し、それ以降はＣの範囲のカム面の傾斜に沿ってドラグ力が徐々に強くなるようにしている。
【００５５】
Ｃの範囲を越えてドラグレバー１４を図１のＦ方向（前方、時計回り）へ揺動（回動）することにより、第２カム３２のカム部３２Ａが第１カム３１のカム面３１ＡのＣの範囲からＤの範囲へ移行し、Ｄの範囲（ドラグレバー１４の揺動（回動）角度が３０度の範囲）のカム面を第２カム３２のカム部３２Ａが登ることにより、第２カム３２が図２の右方向へ移動し、それに伴ってドラグ調整部材５１が図２の右方向へ移動するため、上記同様にドラグ調整部材５１によってスプール軸１６及びスプール１５がハンドル１２側（図２で右側）へ引き寄せられて移動し、第１摩擦板１３Ａが第２摩擦板１３Ｂに当接する当接力が更に強くなる。Ｄの範囲の最終部がドラグレバー１４の揺動（回動）動作の終点であり、このときドラグ力が最大となる。
【００５６】
また、ドラグレバー１４を図１のＲ方向（手前側、反時計回り）へ揺動（回動）することによって、第２カム３２のカム部３２Ａが第１カム３１のＤの範囲、Ｃの範囲、Ｂの範囲を順次経ることに伴って、第１摩擦板１３Ａが図２の左方向へ移動してドラグ力が徐々に弱まる。
【００５７】
上記のように、ドラグレバー１４のＦ方向（前方、時計回り）、Ｒ方向（手前側、反時計回り）への揺動（回動）動作によって、ドラグ力の強弱を調整できるため、実釣中のハンドル１２の操作並びにドラグレバー１４の操作を適宜行なうことにより、実釣効果を得ることができる。
【００５８】
そして、第２カム３２の１８０度対称位置に設けたそれぞれのカム部３２Ａが、第１カム３１の１８０度対称位置に設けたそれぞれのＡの範囲に位置したとき、上記のように、第１摩擦板１３Ａが図２の左方向へ移動して、第１摩擦板１３Ａが第２摩擦板１３Ｂから離れた状態となるため、釣糸６２を竿先方向へ引っ張る作用に対してドラグ力は掛からないゼロの状態である。
【００５９】
上記の記載から明らかなように、第２カム３２のカム部３２Ａが第１カム３１のＡの範囲に位置した状態では、スプール１５は、ドラグ機構１３との連繋やハンドル取り付け部１２Ｔを含むハンドル１２側との連繋も外れた状態であるため、スプール１５の釣り糸繰り出し方向回転に対して殆んど抵抗がない状態となる。この状態で、キャスティングを行なう、即ち、ジグと称される錘式のルアーを使用した釣り糸６２を釣り竿６０から略真下へ向けて、例えば海中５０ｍ乃至それ以上の深さまで垂らした後、ドラグレバー１４を図１のＦ方向（前方、時計回り）へ揺動（回動）することにより、上記のように、ドラグ機構１３が作動してドラグが掛かる。このため、ドラグレバー１４のＦ方向（前方、時計回り）及びＲ方向（手前側、反時計回り）への揺動（回動）動作と、ハンドル１２の回転操作とを適宜行うことによって、釣り糸６２を所望の状態に繰り出した状態にて実釣動作を行なうことができる。
【００６０】
レバードラグ式リール１は、図１に示すように、その下側部に設けた金属製の取付け脚２を釣竿６０の上側部に形成した取付け部６１に装着して取り付けられ、その取り付け状態において、レバードラグ式リール１の左側面に沿わせた操作者の左手ＬＨの中指や薬指などによって釣竿６０を下方から支えると共に、その左手ＬＨによってレバードラグ式リール１を握持し、左手ＬＨの親指ＬＨ１によってドラグレバー１４を操作可能とし、操作者の右手でハンドル１２を操作可能とする構成である。また、左手ＬＨの親指ＬＨ１は、ドラグレバー１４から離した状態で、釣り糸６２を案内するように操作することによって、釣り糸６２をスプール１５へ略均等状態に巻き取ることができる。
【００６１】
本発明は、ハンドル１２に特徴がある。即ち、図に示すように、本発明に係る両軸受けリールは、リール本体１１に支持されたスプール軸１６に回転自在に支持されたスプール１５と、スプール１５の釣り糸繰り出し方向回転のドラグ力を調整するドラグ機構１３と、ドラグ機構１３を介してスプール１５を回転駆動する歯車装置ＧＡと、歯車装置ＧＡを回転駆動するハンドル軸１２Ａを回転させるためのハンドル１２を備え、ハンドル１２は、ハンドルノブ１２Ｄを回転自在に支持するハンドルアーム１２Ｂが、取り付けネジ１９によってハンドル軸１２Ａに取り付けられており、ハンドル１２によってスプール１５を釣り糸巻き取り方向回転（正方向回転という）できるが、スプール１５をその逆方向に回転できない構成である。
【００６２】
以下、本発明に係るハンドル１２の構成について、主として図２〜図８を参照して記載する。ハンドル軸１２Ａの中心軸線１２ＡＳ上には、ハンドルアーム１２Ｂを取り付けるための取り付け孔１２Ｒが形成されている。この取り付け孔１２Ｒは、ハンドル軸１２Ａの外側端（ハンドルアーム１２Ｂが取り付けられる側の端）に開口し、中心軸線１２ＡＳに沿って延び、取り付け孔１２Ｒの周囲壁には雌ネジ１２ＲＮが形成されている。
【００６３】
ハンドルアーム１２Ｂは、ハンドル軸１２Ａへの取り付け基部にハンドルアーム１２Ｂの長さ方向に延びた長孔１２Ｐを有する。取り付けネジ１９は、ハンドルアーム１２Ｂの外側に位置する頭部１９Ｈと、頭部１９Ｈの裏側に突出形成した非円形の嵌合部１９Ａと、ハンドル軸１２Ａの取り付け孔１２Ｒの雌ネジ１２ＲＮに螺合する雄ネジ１９ＢＮを形成して嵌合部１９Ａから延びる軸部１９Ｂを有する。嵌合部１９Ａは、長孔１２Ｐの平行な対向壁１２ＰＡ間の幅ｔ１０よりも小さい寸法の厚さｔ７となるように、長孔１２Ｐの平行な対向壁１２ＰＡに平行な側面１９ＰＡを形成し、長孔１２Ｐの長さｔ９（ハンドルアーム１２Ｂの長さ方向の長さ）よりも十分短い長さｔ１１でもって、ハンドルアーム１２Ｂの長さ方向に延びた非円形状をなしている。このような寸法関係は、後述のように、長孔１２Ｐと嵌合部１９Ａとの関係は、ハンドルアーム１２Ｂが嵌合部１９Ａに対して、回り止め状態で且つハンドルアーム１２Ｂの長さ方向に移動可能に嵌り込むような寸法関係である。
【００６４】
長孔１２Ｐ内において取り付けネジ１９の嵌合部１９Ａの平行な側面１９ＰＡを両側から押し圧するための板バネ１２Ｑを設けている。板バネ１２Ｑは、ネジ、溶接、カシメ、または接着等の手段によって板状取り付け部１２Ｑ１がハンドルアーム１２Ｂの外側面に固定され、取り付け部１２Ｑ１から折り曲げられた一対の押し圧辺１２Ｑ２が、長孔１２Ｐの対向壁１２ＰＡに沿う配置となるように長孔１２Ｐ内に侵入状態である。一対の押し圧辺１２Ｑ２の狭まった先端部１２ＱＴの間隔ｔ８と、嵌合部１９Ａの一対の平行な側面１９ＰＡ間の厚さｔ７との関係は、ｔ７＞ｔ８であり、それによって、板バネ１２Ｑの一対の押し圧辺１２Ｑ２が、常に嵌合部１９Ａの一対の平行な側面１９ＰＡを両側から略均等に押し圧している状態である。
【００６５】
図８に示すように、嵌合部１９Ａがハンドルアーム１２Ｂの長孔１２Ｐに侵入した状態にて、板バネ１２Ｑが嵌合部１９Ａを両側から押し圧する状態を保持するために、ハンドルアーム１２Ｂに取り付けネジ１９を抜け止め状態に保持する保持部材１２Ｓを設けている。保持部材１２Ｓは、ハンドル軸１２Ａとハンドルアーム１２Ｂとの間において、ハンドル軸１２Ａ側のハンドルアーム１２Ｂの面に当接または近接するように、取り付けネジ１９の軸部１９Ｂに保持されている。保持部材１２Ｓは、取り付けネジ１９の軸部１９Ｂを略直交状態に貫通して保持される棒状体であってもよいが、軸部１９Ｂの強度が低下する懸念を払拭するために、実施例では、ワッシャ部材のような板状環状部材を採用している。保持部材１２Ｓは、この他に、Ｃ形リングやＥ形リングのように環状ではない板状の弧状部材で構成することもできる。
【００６６】
図示のように環状のワッシャ部材で構成した保持部材１２Ｓは、取り付けネジ１９の軸部１９Ｂの雄ネジ１９ＢＮが螺合する雌ネジ１２ＳＮが形成された貫通孔１２Ｓ１を有する。取り付けネジ１９の軸部１９Ｂの根元部分、即ち、嵌合部１９Ａに近い部分に、保持部材１２Ｓが空回り状態に嵌り合うための雄ネジ１９ＢＮが存在しないように除去されたネジなし軸部１９Ｃが形成されている。
【００６７】
ハンドルアーム１２Ｂの外側面から取り付けネジ１９の軸部１９Ｂを長孔１２Ｐに挿入し、板バネ１２Ｑの一対の押し圧辺１２Ｑ２によって嵌合部１９Ａの一対の平行な側面１９ＰＡが両側から押し圧されるように、ハンドルアーム１２Ｂの長孔１２Ｐに嵌合部１９Ａが嵌った状態で、保持部材１２Ｓを取り付けネジ１９の軸部１９Ｂの雄ネジ１９ＢＮに螺合させつつネジなし軸部１９Ｃまで移動させる。保持部材１２Ｓがネジなし軸部１９Ｃに空回り状態に保持されるようにするために、保持部材１２Ｓの厚さ及び雌ネジ１２ＳＮと、ネジなし軸部１９Ｃの長さ及び直径の寸法関係が設定される。このため、取り付けネジ１９の軸部１９Ｂの雄ネジ１９ＢＮの内径（谷径）ｔ３に対して、保持部材１２Ｓの雌ネジ１２ＳＮの内径ｔ４は、ｔ３＋０．１ｍｍのように若干大きく設定しており、ネジなし軸部１９Ｃの直径は雄ネジ１９ＢＮの内径（谷径）ｔ３と同径であるため、保持部材１２Ｓはネジなし軸部１９Ｃに空回り状態に保持される。
【００６８】
このように、ハンドル１２は、保持部材１２Ｓによって、取り付けネジ１９がハンドルアーム１２Ｂから抜け止め状態に保持されると共に、長孔１２Ｐに侵入した嵌合部１９Ａの一対の平行な側面１９ＰＡを板バネ１２Ｑの一対の押し圧辺１２Ｑ２が、常に両側から押し圧している状態を保持部材１２Ｓによって維持され、取り付けネジ１９がハンドルアーム１２Ｂに回り止め状態で、且つ嵌合部１９Ａにハンドルアーム１２Ｂが長さ方向に移動可能に嵌り込んだ状態である。このような構成のハンドル１２は図８に示す。
【００６９】
ハンドル軸１２Ａの外側端面にハンドルアーム１２Ｂを取り付けるために、図示の実施例ではハンドル軸１２Ａの外側端１２ＡＰがその周囲に配置された第２側板外カバーの外側端１１Ｅ２Ｐよりもハンドルアーム１２Ｂ側へ突出している。このため、ハンドルアーム１２Ｂをハンドル軸１２Ａに取り付けた場合、その両者間の段差部分に釣り糸６２の一部が侵入してからまりの原因になる。また、この段差部分に塵埃等が侵入して軸受け１８Ｂの部分へ悪影響を及ぼす懸念がある。更に、ハンドル１２を正方向回転（釣り糸巻き取り方向回転）させるときに生じる音を抑制することも望まれる。
【００７０】
これらを解決するために、この段差部分を埋める厚さの弾性のある環状パッキン１２Ｗをハンドル軸１２Ａの外側端１２ＡＰの周囲に緩く嵌る状態に配置し、このパッキン１２Ｗを覆うように、ハンドル軸１２Ａの外側端１２ＡＰから第２側板外カバーの外側端１１Ｅ２Ｐまでを覆うために、環状カップ形状のカバー部材１２Ｙを配置している。このため、取り付けネジ１９の軸部１９Ｂがカバー部材１２Ｙとパッキン１２Ｗの中心孔を緩く貫通する状態（カバー部材１２Ｙの中心孔径が軸部１９Ｂの雄ネジ１９ＢＮの外径よりも、例えば０．１〜０．５ｍｍのように僅かに大きい状態）で、ハンドル１２を正方向回転（釣り糸巻き取り方向回転）させて、ハンドル軸１２Ａの取り付け孔１２Ｒの雌ネジ１２ＲＮに取り付けネジ１９の軸部１９Ｂの雄ネジ１９ＢＮを螺合することにより、ハンドル軸１２Ａの取り付け孔１２Ｒの雌ネジ１２ＲＮに対して取り付けネジ１９の軸部１９Ｂの雄ネジ１９ＢＮが締め付けられ、ハンドル１２がハンドル軸１２Ａに取り付けられる。これによって、ハンドルアーム１２Ｂの内側面とハンドル軸１２Ａの外側端１２ＡＰとの間に、保持部材１２Ｓとカバー部材１２Ｙが締め付けられる。この状態で、ハンドル１２を正方向回転（釣り糸巻き取り方向回転）させることにより、ハンドルアーム１２Ｂの回転に伴って保持部材１２Ｓ、カバー部材１２Ｙ及びハンドル軸１２Ａが同時回転してスプール１５が回転する。
【００７１】
この場合、パッキン１２Ｗが圧縮状態に締め付けられた状態であれば、ハンドル１２を正方向回転（釣り糸巻き取り方向回転）させる際に、カバー部材１２Ｙの回転時にカバー部材１２Ｙがパッキン１２Ｗを擦ることとなり、これがハンドル１２の回転の抵抗となり好ましくない。このため、パッキン１２Ｗは圧縮状態とならないように、第２側板外カバー１１Ｅ２の外側端１１Ｅ２Ｐ及びカバー部材１２Ｙの内面に対して僅かな隙間ＧＰ１（例えば、０．１ｍｍの隙間）ができるような寸法関係としている。この僅かな隙間ＧＰ１によって、上記のような塵埃の侵入の防止や音の抑制ができる。また、ハンドル１２の回転の抵抗とならないようにするために、図３に示すように、カバー部材１２Ｙの環状壁部分１２ＹＰによって覆われる第２側板外カバーの外側端１１Ｅ２Ｐ周辺との間には、僅かな隙間ＧＰ２（例えば、０．１ｍｍの隙間）が形成されるような寸法関係に構成している。この僅かな隙間ＧＰ２によって、塵埃の侵入の防止や音の抑制ができる。
【００７２】
本発明のハンドル装置は、上記のように、頭部１９Ｈと保持部材１２Ｓによって、取り付けネジ１９がハンドルアーム１２Ｂから抜け止め状態に保持されると共に、長孔１２Ｐに対して、嵌合部１９Ａは板バネ１２Ｑによって両側から押し圧される状態を維持しつつ、回り止め状態で且つ嵌合部１９Ａにハンドルアーム１２Ｂが長さ方向に移動可能に嵌り込んだ状態のハンドルを構成し、このハンドル１２をハンドル軸１２Ａに取り付ける操作、及びハンドル１２をハンドル軸１２Ａから緩める操作は、取り付けネジ１９をドライバーなどのネジ回し工具を用いるのではなく、ハンドルノブ１２Ｄを握持してハンドルアーム１２Ｂを回転することにより行うものである。以下に、上記の構成のハンドル１２をハンドル軸１２Ａに取り付ける場合について説明する。
【００７３】
パッキン１２Ｗを前記段差部分へ取り付け、このパッキン１２Ｗを覆うと共に第２側板外カバーの外側端１１Ｅ２Ｐを覆うように、第２側板外カバー１２Ｅ２にカバー部材１２Ｙを配置する。この状態で先ず、ハンドル軸１２Ａの取り付け孔１２Ｒの開口に対し、取り付けネジ１９の軸部１９Ｂの先端を挿入状態に合わせ、この状態で、ハンドル軸１２Ａの取り付け孔１２Ｒの雌ネジ１２ＲＮに対し、取り付けネジ１９の軸部１９Ｂの雄ネジ１９ＢＮが螺合する（噛み合う）ようにハンドル１２を正方向回転、即ち、ハンドルノブ１２Ｄを握持してハンドルアーム１２Ｂを正方向回転することにより、ハンドル軸１２Ａの取り付け孔１２Ｒの雌ネジ１２ＲＮに対して、取り付けネジ１９の軸部１９Ｂの雄ネジ１９ＢＮの螺合する（噛み合う）長さが深く（長く）なる。そして、取り付けネジ１９の完全な締め付け状態に達する前の状態において、即ち、長孔１２Ｐ内において嵌合部１９Ａが板バネ１２Ｑによって両側から押し圧される状態を維持しつつ、回り止め状態で且つ嵌合部１９Ａに対してハンドルアーム１２Ｂが長さ方向に移動可能な状態であり、この状態において、ハンドルアーム１２Ｂを長孔１９Ｐの範囲内で移動させ、ハンドルアーム１２Ｂが所望の回転半径となるような嵌合部１９Ａと長孔１９Ｐとの位置関係（後述のようにハンドル１２の回転半径が最も長い状態、または最も短い状態）において、ハンドル１２を更に正方向回転させることにより、取り付けネジ１９の頭部１９Ｈが板バネ１２Ｑの取り付け部１２Ｑ１に圧接すると共に、ハンドルアーム１２Ｂが、保持部材１２Ｓ、カバー部材１２Ｙを介してハンドル軸１２Ａの外側端１２ＡＰを圧接し、最終的にハンドルアーム１２Ｂがハンドル軸１２Ａにしっかりと締め付けられる状態となる。
【００７４】
また、ハンドルアーム１２Ｂの回転半径を変更する場合、即ち、ハンドル１２の回転半径を変更する場合は、ハンドル１２を逆方向回転させる。即ち、ハンドルノブ１２Ｄを握持してハンドルアーム１２Ｂを逆方向回転することにより、ハンドル軸１２Ａの取り付け孔１２Ｒの雌ネジ１２ＲＮに対する取り付けネジ１９の軸部１９Ｂの雄ネジ１９ＢＮの螺合する（噛み合う）長さが短くなり、ハンドル１２がハンドル軸１２Ａから緩んだ状態となる。この緩んだ状態では、保持部材１２Ｓがネジなし軸部１９Ｃに空回り状態に保持されており、且つ板バネ１２Ｑの一対の押し圧辺１２Ｑ２が取り付けネジ１９の嵌合部１９Ａを押し圧保持した状態にて、取り付けネジ１９がハンドルアーム１２Ｂに保持された状態である。
【００７５】
その状態は、嵌合部１９Ａが板バネ１２Ｑの一対の押し圧辺１２Ｑ２による押し圧抵抗を受けつつ、取り付けネジ１９に対してハンドルアーム１２Ｂを長孔１９Ｐの長さ方向への移動が可能な状態であるため、取り付けネジ１９に対してハンドルアーム１２Ｂが若干の摺動抵抗を受けることとなり、全く摺動抵抗を受けない場合に比して、取り付けネジ１９に対してハンドルアーム１２Ｂを移動させる操作が安定する。このように取り付けネジ１９に対してハンドルアーム１２Ｂを移動させることにより、ハンドル１２の回転半径、即ち、ハンドル軸１２Ａに対するハンドルアーム１２Ｂの取り付け長さが変更できる。この場合、嵌合部１９Ａが長孔１９Ｐの先端部１２ＰＦに当接した状態が、ハンドル軸１２Ａに対するハンドルアーム１２Ｂの取り付け長さが最も長い状態であり、ハンドル１２の回転半径が最も長い状態である。この状態でハンドル１２を正方向回転、即ち、ハンドルノブ１２Ｄを握持してハンドルアーム１２Ｂを正方向回転することにより、ハンドル軸１２Ａの取り付け孔１２Ｒの雌ネジ１２ＲＮに対する取り付けネジ１９の軸部１９Ｂの雄ネジ１９ＢＮの螺合する（噛み合う）長さが長くなり、上記のように、最終的にハンドルアーム１２Ｂがハンドル軸１２Ａにしっかりと締め付けられ、ハンドル１２の回転半径が最も長い状態にセットされる。
【００７６】
一方、上記のように、ハンドル１２がハンドル軸１２Ａから緩んだ状態において、嵌合部１９Ａが長孔１９Ｐの後端部１２ＰＲに当接した状態へ移動させることによって、ハンドル軸１２Ａに対するハンドルアーム１２Ｂの取り付け長さが最も短い状態となり、ハンドル１２の回転半径が最も短い状態となる。この状態でハンドル１２を正方向回転、即ち、ハンドルノブ１２Ｄを握持してハンドルアーム１２Ｂを正方向回転することにより、ハンドル軸１２Ａの取り付け孔１２Ｒの雌ネジ１２ＡＮに対する取り付けネジ１９の軸部１９Ｂの雄ネジ１９ＢＮの螺合する（噛み合う）長さが長くなり、上記のように、最終的にハンドルアーム１２Ｂがハンドル軸１２Ａにしっかりと締め付けられ、ハンドル１２の回転半径が最も短い状態にセットされる。
【００７７】
上記のように、本発明では、ハンドル１２は、ハンドル軸１２Ａに対して取り付けネジ１９が緩んだ状態、または取り外された状態において、ネジなし軸部１９Ｃに空回り状態に保持された保持部材１２Ｓによって、長孔１２Ｐ内において板バネ１２Ｑが嵌合部１９Ａを両側から押し圧する状態を保持するため、取り付けネジ１９とハンドルアーム１２Ｂの相互のガタツキが抑えられると共に、取り付けネジ１９に対するハンドルアーム１２Ｂの傾きが抑制される。この状態でハンドル１２の正方向回転へ、即ち、ハンドルアーム１２Ｂの正方向回転へ安定して移行することができる点で特徴がある。また、取り付けネジ１９がハンドルアーム１２Ｂに回り止め状態で、且つ嵌合部１９Ａにハンドルアーム１２Ｂが長さ方向に移動可能に嵌り込んだ状態となるため、長孔１２Ｐ内において、ハンドル１２の回転半径を変更可能となる。
【００７８】
上記のように、本発明では、ハンドルの固定及び緩めの操作が、ハンドル１２の回転によって容易に行なえるものであり、ハンドル１２の回転半径が最も長い状態と最も短い状態のいずれかに容易に選択変更できるが、ハンドル１２の回転半径をこの中間の長さにすることも可能である。この中間の長さにする場合は、嵌合部１９Ａが長孔１９Ｐの先端部１２ＰＦと後端部１２ＰＲのいずれにも当接しない中間位置において、ハンドル１２を正方向回転、即ち、ハンドルノブ１２Ｄを握持してハンドルアーム１２Ｂを正方向回転することにより、ハンドル軸１２Ａの取り付け孔１２Ｒの雌ネジ１２ＡＮに対する取り付けネジ１９の軸部１９Ｂの雄ネジ１９ＢＮの螺合する（噛み合う）長さが長くなり、上記のように、最終的にハンドルアーム１２Ｂがハンドル軸１２Ａにしっかりと締め付けられ、ハンドル１２の回転半径が、中間の長さ状態となる。
【００７９】
本発明のハンドル装置を実施した一つの具体例を以下に記載する。図４、図５、図７及び図８を参照して、保持部材１２Ｓにワッシャ部材のような厚さｔ１の板状環状部材を採用した場合において、取り付けネジ１９の軸部１９Ｂの雄ネジ１９ＢＮは、Ｍ６のネジ、即ち、ネジの外径（山径）ｔ５が６ｍｍでありネジの内径（谷径）ｔ３が５ｍｍのネジであり、保持部材１２Ｓの雌ネジ１２ＳＮもこのＭ６のネジと螺合するネジであり、雌ネジ１２ＳＮの内径ｔ４は、ｔ３＋０．１ｍｍのように若干大きく設定している。また、ハンドル軸１２Ａに対して取り付けネジ１９が緩んだ状態において、保持部材１２Ｓがネジなし軸部１９Ｃにおいて空回り状態に保持されるようにするために、ネジなし軸部１９Ｃの長さｔ２は保持部材１２Ｓの厚さｔ１よりも若干大きく設定され、ネジなし軸部１９Ｃの外径はｔ３である。更に図３に示すように、取り付けネジ１９が締めつけられた状態で、保持部材１２Ｓと雄ネジ１９ＢＮの端部との間に、ネジなし軸部１９Ｃの一部分ｔｐ（図３の二点鎖線で囲まれた部分を拡大図に示す）が臨む寸法関係である。なお、ネジなし軸部１９Ｃの長さｔ２は、ハンドル軸１２Ａに対して取り付けネジ１９が緩んだ際、またはハンドル軸１２Ａに対して取り付けネジ１９を外した際に、保持部材１２Ｓがネジなし軸部１９Ｃに嵌った状態おいて、嵌合部１９Ａに対するハンドルアーム１２Ｂのガタツキが少なく、且つ保持部材１２Ｓがネジなし軸部１９Ｃに空回り状態に保持される構成が好ましい。このため、ｔｐは小さく設定するのが好ましく、ネジなし軸部１９Ｃの長さｔ２と保持部材１２Ｓの厚さｔ１の差（ｔ２−ｔ１）は、０．１〜０．３ｍｍ程度あれば、好ましい状態となる。
【００８０】
取り付けネジ１９の嵌合部１９Ａの長さｔ１１は長孔１２Ｐの長さｔ９よりも十分短く設定され、長さｔ９と長さｔ１１の差がハンドル１２の回転半径の変更範囲となる。また嵌合部１９Ａと長孔１２Ｐとが相対移動できるようにするために、嵌合部１９Ａの厚さｔ７は長孔１２Ｐの幅ｔ１０よりも若干小さく、且つ、板バネ１２Ｑの一対の押し圧辺１２Ｑ２と嵌合部１９Ａとが当接状態でもって相対的に摺動できる寸法である。頭部１９Ｈからの嵌合部１９Ａの突出長さｔ６は、板バネ１２Ｑの取り付け部１２Ｑ１の厚さｔ１４＋ハンドルアーム１２Ｂの厚さｔ１２よりも若干短く設定されている。また、板バネ１２Ｑの一対の押し圧辺１２Ｑ２が長孔１２Ｐに侵入する長さｔ１３は、ハンドルアーム１２Ｂの厚さｔ１２よりも短く設定されており、図７および図８に示すように、一対の押し圧辺１２Ｑ２が嵌合部１９Ａの両側壁を押し圧する部分１２ＱＴ（図示の形状では一対の押し圧辺１２Ｑ２の先端部分）が、長孔１２Ｐの中間（ハンドルアーム１２Ｂの厚さｔ１２内）に位置する構成である。また、一対の押し圧辺１２Ｑ２が嵌合部１９Ａの両側壁を押し圧する部分１２ＱＴの間隔ｔ８は、嵌合部１９Ａの厚さｔ７よりも若干短い構成である。即ち、ｔ８＜ｔ７＜ｔ１０の関係である。これによって、取り付けネジ１９が締まった状態及び緩んだ状態のいずれにおいても、一対の押し圧辺１２Ｑ２の押し圧する部分１２ＱＴが、嵌合部１９Ａの両側壁を押し圧する状態が維持されるようになる。
【００８１】
なお、図７及び図８の板バネ１２Ｑの取り付けとは逆位置、即ち、板バネ１２Ｑの取り付け部１２Ｑ１をハンドルアーム１２Ｂの内側面（図７及び図８では下側面）に取り付け、その取り付け部１２Ｑ１から一対の押し圧辺１２Ｑ２が長孔１２Ｐに侵入するように構成することもできる。この場合、嵌合部１９Ａの両側壁を押し圧する部分１２ＱＴが尖っておれば、取り付けネジ１９を長孔１２Ｐに侵入させる際の抵抗が大きく、その侵入操作がし難いため、一対の押し圧する部分１２ＱＴが尖らないように、互いに離れる方向へ屈曲した形状とすることにより、その問題は解決する。
【００８２】
上記のように、ハンドル１２は、ハンドル軸１２Ａに対して取り付けネジ１９が緩んだ状態、または取り外された状態において、保持部材１２Ｓによって、取り付けネジ１９がハンドルアーム１２Ｂから抜け止め状態に保持されると共に、長孔１２Ｐに侵入した嵌合部１９Ａの一対の平行な側面１９ＰＡを板バネ１２Ｑの一対の押し圧辺１２Ｑ２が、常に両側から押し圧している状態を保持部材１２Ｓによって維持され、取り付けネジ１９がハンドルアーム１２Ｂに回り止め状態で、且つ嵌合部１９Ａにハンドルアーム１２Ｂが長さ方向に移動可能に嵌り込んだ状態である。
【００８３】
上記の実施例では、保持部材１２Ｓとカバー部材１２Ｙを別体構成としているが、保持部材１２Ｓをカバー部材１２Ｙの形状をするように一つの部材で構成することができる。このように構成された保持部材を保持部材１２Ｓ２と称すれば、この保持部材１２Ｓ２に雌ネジ１２ＳＮが形成された貫通孔１２Ｓ１を形成し、この保持部材１２Ｓ２と雄ネジ１９ＢＮとの間に、図３同様に、ネジなし軸部１９Ｃの一部が臨む部分ｔｐ（図３の二点鎖線で囲まれた部分を拡大図に示す）が形成されるようにすれば、上記同様に本発明が達成される。
【００８４】
また、上記の実施例では、ハンドル軸１２Ａの外側端１２ＡＰがその周囲に配置された第２側板外カバーの外側端１１Ｅ２Ｐよりもハンドルアーム１２Ｂ側へ大きく突出した構成であるが、ハンドル軸１２Ａの外側端１２ＡＰが第２側板外カバーの外側端１１Ｅ２Ｐよりも僅かに（例えば０．１ｍｍ）突出するように形成し、保持部材１２Ｓにワッシャ部材のような板状環状部材を採用することによって、取り付けネジ１９による締め付けによって、保持部材１２Ｓがハンドル軸１２Ａの外側端１２ＡＰに当接する構成とすれば、環状パッキン１２Ｗとカバー部材１２Ｙを省くことができる。
【００８５】
なお、図１及び図２に示すように、操作者の左手ＬＨの親指ＬＨ１によるドラグレバー１４の操作性の向上等のために、スプール１５の右側のフランジ部１５Ｃを覆う第２側板１１Ｂ部分の円弧状の上面には、その上面に沿ってドラグレバー１４の上端部が覆い被さる状態で揺動自在に嵌まり込む円弧状溝部７０を形成している。具体的構成として、操作者の左手ＬＨの親指ＬＨ１がドラグレバー１４の上端部を操作し易いようにするために、ドラグレバー１４の一部をなすようにドラグレバー１４の上端部の操作部１４Ｄとして、合成樹脂製の親指タッチ部材１４Ｄを取り付けており、この操作部１４Ｄから下方へ突出した突起部１４Ｄ１が、円弧状溝部７０に沿って移動可能に嵌まり込んだ構成である。これによって、突起部１４Ａ１が円弧状溝部７０に沿った移動を行うため、ドラグレバー１４の前後揺動操作を安定して行えるものとなる。
【００８６】
また、レバードラグ式リール１の右側に配置されるドラグ調整部材５１の回動位置を操作者に音で認識させるためと、ドラグ調整部材５１の回動を段階的に行えるようにするために、図２に拡大図にて示すように、発音装置９５を設けている。発音装置９５は、ドラグ調整部材５１に対向するカム体３２Ｂの外側面に、球面状の窪み９６が円形状に等間隔で形成され、ドラグ調整部材５１からこの窪み９６へ向けて、先端球面状部が突出するようにバネ９８で付勢された進出体９７によって構成されている。進出体９７は、図２に拡大で示すように球状体でもよいが棒状でもよい。なお、発音装置９５と同様の構成でもって、ドラグレバー１４の回動位置を操作者に音で認識させるため、及びドラグレバー１４の回動を段階的に行えるようにするために、ドラグレバー１４の操作部１４Ｄにバネで付勢された進出体を設け、この進出体がドラグレバー１４の回動に伴って円弧状溝部７０の底面に形成した窪み７０Ｄに段階的に嵌り合う発音装置６５を設けている。
【００８７】
これによって、ドラグ調整部材５１の回動に伴って窪み９６に対して進出体９７が順次進入脱出動作を行うためその都度発音することとなり、ドラグ調整部材５１の回動位置を操作者が音で認識できる。また、窪み９６に対して進出体９７が進入する度に、ドラグ調整部材５１の回動が断続的に抵抗を受けることとなり、ドラグ調整部材５１の回動が段階的動作となり、ドラグ調整部材５１の回動操作を安定して行えるものとなる。
【００８８】
レバードラグ式リール１の左側に、釣り糸６２の繰り出しに伴うスプール１５の回転にブレーキを掛けるブレーキ装置７５を備えている。具体的には、図２に示すように、第１側板１１Ａ内にブレーキ装置７５が収容され、ブレーキ装置７５の操作部７６が第１側板１１Ａの一部である第１側板カバー１１Ｄの左側面の前上部に露出状態で配置されている。ブレーキ装置７５は、スプール１５の左側面に対し離れる方向へコイルバネ７８にて付勢された作動体７７と、第１側板１１Ａ内に回動自在に軸支持７６Ａされ、コイルバネ７８に抗して作動体７７をスプール１５のフランジ部１５Ｂの外側面へ押し圧する操作部７６を備えている。
【００８９】
通常、コイルバネ７８の付勢によって作動体７７はスプール１５の側面から離れた状態である。これと共に操作部７６の一部は、コイルバネ７８によって外方へ付勢された作動体７７によって、第１側板カバー１１Ｄの外に露出状態である。実釣の最初に行なうキャスティングとして、ジグと称される錘式のルアーを使用した釣り糸６２を釣り竿６０から略真下へ向けて垂らす際や、実釣中に釣れた魚による引きによって、釣り糸６２の繰り出しに伴ってスプール１５が回転するとき、この回転にブレーキを掛けるためには、操作部７６を操作者の左手ＬＨの親指ＬＨ１か人差し指ＬＨ２によって押し圧することにより、作動体７７の先端がスプール１５の左側面に圧接する程度によって、スプール１５の回転にブレーキが掛かる。
【００９０】
実釣中に釣針が岩等の異物に引っ掛かったときなどの異常時に、釣り竿６０の強い引き上げ操作によってその引っ掛かりを外す、または釣り糸６２を切る操作を行なう。そのために、釣り糸６２の繰り出し方向へのスプール１５の回転を停止させるストップ装置８５が、図２に示すように、レバードラグ式リール１の左側の第１側板１１Ａ内に収容されている。
【００９１】
ストップ装置８５は、スプール１５の左側面に取り付けたラチェット車（つめ車）８６の歯に対して係止と離脱を行なうロック部材８７と、ロック部材８７を操作するロック操作部８８を備えており、通常時はロック部材８７がラチェット車（つめ車）８６の歯に係止状態ではなく、ロック操作部８８が第１側板１１Ａの下部に露出するようにバネ付勢されている。そして、上記異常時には、ロック部材８７がラチェット車８６の歯に係止してスプール１５の回転を停止させるように、ロック操作部８８を回動操作する。
【００９２】
レバードラグ式リール１は、スプール１５の左フランジ部１５Ｂと第１側板１１Ａとの隙間や、スプール１５の右フランジ部１５Ｃと第２側板１１Ｂとの隙間に、釣り糸６２が侵入することを防止して、釣り糸６２がスプール１５へ案内されるようにするために、図１に示すように、スプール１５の前面側にスプール１５から離間した状態に釣り糸ガイド９０を設けている。釣り糸ガイド９０は、スプール１５の左フランジ部１５Ｂ及び右フランジ部１５Ｃよりも外側位置において、基部９０Ａが第１側板１１Ａと第２側板１１Ｂとに取付けられ、これら基部９０Ａ間に湾曲状の釣り糸ガイド部９０Ｂを左右に一体形成した線状体で形成されている。釣り糸ガイド９０を安定保持するために、左右の釣り糸ガイド部９０Ｂの連絡部が連結部１１Ｃの溝に上部が露出する状態で嵌まり込んでいる。
【００９３】
本発明は、ハンドル軸に対してハンドルアームが取り付けネジによって取り付けられており、ハンドルの逆方向回転（釣り糸巻き取り方向とは逆方向の回転）によって、取り付けネジが緩んでハンドル軸に対するハンドルアームの取り付けが緩み、その状態でハンドル軸に対するハンドルアームの取り付け位置が移動可能となり、ハンドルアームを移動して所定の回転半径になる位置で、ハンドルを正方向回転（釣り糸巻き取り方向回転）することによって取り付けネジが締まり、所定の回転半径で回転できるように、ハンドル軸に対するハンドルアームの取り付けが固定されるハンドル装置である。
【００９４】
このため本発明は、上記のように、スプール１５がハンドルの正方向回転に伴って回転する両軸受けリールに適用できることは勿論である。また、スプールは回転しない状態にリール本体に支持されているが、ハンドルの正方向回転に伴って釣り糸案内装置がスプールの周囲を回転することにより、釣り糸をスプールへ巻回する構成のスピニングリールにおいても適用できるものである。本発明は、上記の実施例に限定されず、本発明の趣旨に則る種々の実施形態を含むものである。
【符号の説明】
【００９５】
１・・・・・・・両軸受けリール（レバードラグ式リール）
２・・・・・・・取付け脚
１１・・・・・・リール本体
１１Ａ・・・・・第１側板
１１Ｂ・・・・・第２側板
１１Ｃ・・・・・連結部
１１Ｄ・・・・・第１側板カバー
１１Ｄ２・・・・軸支持部
１１Ｄ３・・・・軸支持部
１１Ｅ・・・・・第２側板カバー
１１Ｅ１・・・・第２側板内カバー
１１ＥＢ６・・・膨出部
１１Ｅ２・・・・第２側板外カバー
１２・・・・・・ハンドル
１２Ａ・・・・・ハンドル軸
１２ＡＮ・・・・雌ネジ
１２Ｂ・・・・・ハンドルアーム
１２Ｃ・・・・・ハンドルノブ軸
１２Ｄ・・・・・ハンドルノブ（握り部）
１２Ｄ１・・・・筒部
１２Ｅ・・・・・ハンドルノブ支持軸部
１２Ｐ・・・・・長孔
１２Ｑ・・・・・板バネ
１２Ｑ１・・・・取り付け部
１２Ｑ２・・・・一対の押し圧辺
１２Ｒ・・・・・取り付け孔
１２Ｓ・・・・・保持部材
１２ＳＮ・・・・雌ネジ
１２Ｗ・・・・・パッキン
１２Ｙ・・・・・カバー部材
１３・・・・・・ドラグ機構
１３Ａ・・・・・第１摩擦板
１３Ｂ・・・・・第２摩擦板
１４・・・・・・ドラグレバー
１５・・・・・・スプール
１６・・・・・・スプール軸
１７Ａ、１７Ｂ・・・・軸受け
１９・・・・・・取り付けネジ
１９Ａ・・・・・嵌合部
１９Ｂ・・・・・軸部
１９ＢＮ・・・・雄ネジ
１９Ｃ・・・・・ネジなし軸部
１９Ｈ・・・・・頭部
２０Ａ、２０Ｂ・・・・軸受け
２１・・・・・・ワンウェイクラッチ
２２・・・・・・メインギア
２３・・・・・・ピニオンギア
２４、２５・・・軸受け
２７・・・・・・第１付勢部材
２８・・・・・・第２付勢部材
３０・・・・・・カム機構
３１・・・・・・第１カム
３１Ａ・・・・・カム面
３２・・・・・・第２カム
３２Ａ・・・・・カム部
３２Ｂ・・・・・カム体
５０・・・・・・ドラグ調整装置
５１・・・・・・ドラグ調整部材
６０・・・・・・釣り竿
６２・・・・・・釣り糸
６５・・・・・・発音装置
７０・・・・・・円弧状溝部
７５・・・・・・ブレーキ装置
８０・・・・・・当接軽減部
８５・・・・・・ストップ装置
９０・・・・・・釣り糸ガイド部
９５・・・・・・発音装置
ＬＨ・・・・・左手
ＬＨ１・・・・左手の親指
【図１】
2014079192.tif 000003
【図２】
2014079192.tif 000004
【図３】
2014079192.tif 000005
【図４】
2014079192.tif 000006
【図５】
2014079192.tif 000007
【図６】
2014079192.tif 000008
【図７】
2014079192.tif 000009
【図８】
2014079192.tif 000010
【図９】
2014079192.tif 000011
【図１０】
2014079192.tif 000012
【図１１】
2014079192.tif 000013